(57)【要約】【課題】  十分な画像表示品質を有する透過型両面発光パネルを用いた画像表示装置およびそれを搭載した電子機器を提供することを目的とする。【解決手段】  透過型両面発光パネル１５と、透過型両面発光パネル１５に画像を表示するための発光パネル制御回路１８と、透過型両面発光パネル１５の両側に配置されたサブパネル１６、１７と、サブパネル１６、１７を透過する光の透過状態を制御するパターンを表示するためのサブパネル制御回路１９とを有している。  そして、サブパネル１６、１７に光を遮光する遮光パターンと、光を透過する透光パターンを交互に表示し、それに合わせて透過型両面発光パネル１５に画像の正像と鏡像を交互に表示する。また、透過型両面発光パネル１５に画像を表示し、サブパネル１６に前記画像と同じ形の遮光パターンを前記画像が表示された位置と同じ位置に表示する。【選択図】  図１
2005208125.tif 000002
【特許請求の範囲】
【請求項１】
透過型両面発光パネルと、
前記透過型両面発光パネルに画像を表示するための画像表示手段と、
前記透過型両面発光パネルの少なくとも一側に配置されたサブパネルと、
前記サブパネルに前記サブパネルを透過する光の透過状態を制御するパターンを表示するためのパターン表示手段と、
を有することを特徴とする画像表示装置。
【請求項２】
透過型両面発光パネルと、
前記透過型両面発光パネルに画像を表示するための画像表示手段と、
前記透過型両面発光パネルの両側に配置されたサブパネルと、
前記サブパネルに前記サブパネルを透過する光の透過状態を制御するパターンを表示するためのパターン表示手段と、
を具備し、
一側の前記サブパネルに前記透過型両面発光パネル側からの光を遮光する遮光パターンを表示し、他側の前記サブパネルに前記透過型両面発光パネル側からの光を透過する透光パターンを表示するとともに前記透過型両面発光パネルに画像を表示し、次に、一側の前記サブパネルに前記透光パターンを表示し、他側の前記サブパネルに前記遮光パターンを表示するとともに前記透過型両面発光パネルに前記画像の鏡像を表示することを特徴とする画像表示装置。
【請求項３】
透過型両面発光パネルと、
前記透過型両面発光パネルに画像を表示するための画像表示手段と、
前記透過型両面発光パネルの一側に配置されたサブパネルと、
前記サブパネルに前記サブパネルを透過する光の透過状態を制御するパターンを表示するためのパターン表示手段と、
を具備し、
前記透過型両面発光パネルに画像を表示し、前記サブパネルに前記画像と同じ形状の遮光パターンを、前記画像が前記透過型両面発光パネルに表示された位置と同じ位置に表示することを特徴とする画像表示装置。
【請求項４】
透過型両面発光パネルと、
前記透過型両面発光パネルに画像を表示するための画像表示手段と、
前記透過型両面発光パネルの両側に配置されサブパネルと、
前記サブパネルに前記サブパネルを透過する光の透過状態を制御するパターンを表示するためのパターン表示手段と、
前記透過型両面発光パネルに表示する画像の表示モードおよび前記サブパネルに表示するパターンの表示モードをそれぞれ選択するための表示モード選択手段と、
を有することを特徴とする画像表示装置。
【請求項５】
画像データ供給部と、
前記画像データ供給部の画像を表示する請求項１乃至請求項４のいずれか１項に記載の画像表示装置と、
を有することを特徴とする電子機器。
【発明の詳細な説明】
【技術分野】
【０００１】
本発明は、画像表示装置に係わり、特に十分な画像表示品質を有する透過型両面発光パネルを用いた画像表示装置およびそれを搭載した電子機器に関する。
【背景技術】
【０００２】
１枚のパネルで表面と裏面の２表示がおこなえる１画面２表示の透過型両面発光パネル、例えばアクティブマトリックスタイプの有機ＥＬ（Electro Luminescence）パネルが知られている（例えば、特許文献１、非特許文献１参照。）。
【０００３】
特許文献１に開示された１画面２表示の透過型両面発光パネルを用いた画像表示装置を搭載した電子機器について図を用いて説明する。図７はこの透過型両面発光パネルを用いた画像表示装置を搭載した電子機器の使用形態を示す説明図である。
【０００４】
図７に示すように、折り畳み型の電子機器１００は本体１０１と蓋体１０２を有し、蓋体１０２に透過型両面発光パネル１０３が組み込まれている。蓋体１０２を開くと表側の表示面には画像の正像（図示せず）が表示され、背面側の表示面には表側の画像の左右が反転した鏡像１０４が表示されている。
【０００５】
電子機器１００の本体１０１に画像の上下および左右を反転する画像反転回路が内蔵されており、蓋体１０２を開けると、その状態を検出して背面側の表示面に画像の正像１０５を表示し、蓋体１０２を閉じると、その状態を検出して背面側の表示面に上下反転した画像（図示せず）を表示することができる。
【０００６】
非特許文献１に開示された１画面２表示の透過型両面発光パネルを用いた画像表示装置を搭載した電子機器について図を用いて説明する。図８はこの透過型両面発光パネルを用いた画像表示装置を搭載した電子機器の使用形態を示す説明図である。
【０００７】
図８に示すように、折り畳み型の携帯電話端末２００は本体２０１と蓋体２０２を有し、蓋体２０２に透過型両面発光パネル２０３が組み込まれている。蓋体２０２を開くと表側の表示面には画像の正像（図示せず）が表示され、表側の画像に背景像２０４が透視されている。
【特許文献１】特開２００１−３３２３９２号公報（４頁、図５）
【非特許文献１】ZDNet/JAPAN、「２画面特許」に抵触しない？−“１画面２表示”の有機ＥＬパネル発表、［Online］、平成１５年７月２日、ZDNet News、［平成１５年７月１８検索］、インターネット＜URL：http://www.zdnet.co.jp/news/0307/02/nj00_dualem.html＞
【発明の開示】
【発明が解決しようとする課題】
【０００８】
特許文献１または非特許文献１に開示された１画面２表示の透過型両面発光パネルを用いた画像表示装置では、透過型両面発光パネルの両側から複数の人が画像を観賞する場合、透過型両面発光パネルの一側から見る画像と他側から見る画像は左右が反転した鏡像関係にあるので、鏡像側の画像が見づらいという問題がある。
【０００９】
また、一側から見る画像と透過型両面発光パネルの背景像とを重ねた透視像を観賞する場合、一側から見る画像に背景像が透けて見えるので、一側から見る画像の視認性が悪いという問題がある。
【００１０】
即ち、いずれの場合においても、十分な画像表示品質が得られないので、鑑賞者に大きな負担を強いる恐れがある。
【００１１】
本発明は、上記問題点を解決するためになされたもので、十分な画像表示品質を有する透過型両面発光パネルを用いた画像表示装置およびそれを搭載した電子機器を提供することを目的とする。
【課題を解決するための手段】
【００１２】
上記目的を達成するために、本発明の一態様の画像表示装置では、透過型両面発光パネルと、前記透過型両面発光パネルに画像を表示するための画像表示手段と、前記透過型両面発光パネルの両側に配置されたサブパネルと、前記サブパネルに前記サブパネルを透過する光の透過状態を制御するパターンを表示するためのパターン表示手段とを具備し、一側の前記サブパネルに前記透過型両面発光パネル側からの光を遮光する遮光パターンを表示し、他側の前記サブパネルに前記透過型両面発光パネル側からの光を透過する透光パターンを表示するとともに前記透過型両面発光パネルに画像を表示し、次に、一側の前記サブパネルに前記透光パターンを表示し、他側の前記サブパネルに前記遮光パターンを表示するとともに前記透過型両面発光パネルに前記画像の鏡像を表示することを特徴としている。
【００１３】
また、本発明の他の一態様の画像表示装置では、透過型両面発光パネルと、前記透過型両面発光パネルに画像を表示するための画像表示手段と、前記透過型両面発光パネルの一側に配置されたサブパネルと、前記サブパネルに前記サブパネルを透過する光の透過状態を制御するパターンを表示するためのパターン表示手段とを具備し、前記透過型両面発光パネルに画像を表示し、前記サブパネルに前記画像と同じ形状の遮光パターンを、前記画像が前記透過型両面発光パネルに表示された位置と同じ位置に表示することを特徴としている。
【発明の効果】
【００１４】
本発明の画像表示装置によれば、サブパネルに遮光パターンと透光パターンを交互に表示するのに同期して透過型両面発光パネルに画像の正像と鏡像を交互に表示しているので、透過型両面発光パネルの両側から複数の人が画像を正像で観賞することができる。
【００１５】
また、サブパネルに透過型両面発光パネルに表示された画像と同じ形の遮光パターンを画像が表示された位置と同じ位置に表示しているので、透過型両面発光パネルの画像に背景像が透けて見えない透視像を観賞することができる。
【００１６】
従って、十分な画像表示品質を有する透過型両面発光パネルを用いた画像表示装置を搭載した電子機器を提供することができる。
【発明を実施するための最良の形態】
【００１７】
以下、本発明の実施例について図面を参照しながら説明する。
【実施例１】
【００１８】
まず、本発明の実施例１に係わる電子機器および画像表示装置について、図１乃至図４を参照して説明する。図１は、本発明の実施例１に係わる画像表示装置およびそれを搭載した電子機器の構成を示すブロック図である。
【００１９】
図１に示すように、電子機器１０は画像表示装置１１と画像データ供給部１２を有し、画像表示装置１１は画像表示部１３と、画像表示制御部１４を有している。
【００２０】
画像表示部１３は、透過型両面発光パネル１５、例えばアクティブマトリックスタイプの有機ＥＬパネルと、サブパネル１６、１７、例えばアクティブマトリックスタイプの液晶パネルと、透過型両面発光パネル１５およびサブパネル１６、１７をそれぞれ駆動するドライブ回路（図示せず）を有している。
【００２１】
画像表示制御部１４は、透過型両面発光パネル１５の画像の表示を制御する発光パネル制御回路１８と、サブパネル１６、１７の遮光パターンの表示を制御するサブパネル制御回路１９と、透過型両面発光パネル１５およびサブパネル１６、１７の表示モードを選択するための表示モード選択回路２０と、モード選択スイッチ２１とを有している。
【００２２】
画像データ供給部１２は、透過型両面発光パネル１５に表示される画像データ、例えば放送受信画像、外部入力画像、内部記憶画像などの画像データを画像表示制御部１４に供給するためのもので、例えば放送受信画像データを得るためのアンテナ２２、チューナ２３、復調回路２４と、外部から画像データを得るための入力端子２５と、画像データを記憶した記憶装置２６を有している。
【００２３】
更に、放送受信画像、外部入力画像、内部記憶画像のいずれかを選択する画像選択回路２７と、選択された画像データを処理して画像データと同期信号を画像表示制御部１４に送出する信号処理回路２８とを有している。
【００２４】
図２は発光パネル制御回路の構成を示すブロック図、図３はサブパネル制御回路の構成を示すブロック図、図４は図１の画像表示装置の動作を示すタイミングチャートである。
【００２５】
本実施例は、透過型両面発光パネルの両側から複数の人が画像を正像で観賞するための画像表示装置の例である。
【００２６】
図２に示すように、発光パネル制御回路１８は、１フレーム分の画像データＩＭＳＩＧを記憶する２つのフレームメモリ４１、４２と、フレームメモリ４１、４２から画像データＩＭＳＩＧを正順または逆順に読み出す２つのメモリコントローラ４３、４４を有している。
【００２７】
更に、画像データＩＭＳＩＧを１フレーム毎にフレームメモリ４１とフレームメモリ４２に交互に記憶させるための入力選択回路４５と、画像データＩＭＳＩＧをフレームメモリ４１とフレームメモリ４２から交互に読み出すための出力選択回路４６と、垂直同期信号ＶＳＹＮＣを逓倍して倍速垂直同期信号ＤＶＳＹＮＣを生成する逓倍回路４７を有している。
【００２８】
図３に示すように、サブパネル制御回路１９は、透過型両面発光パネル１５側からの光を遮光する遮光パターンを記憶した遮光パターン記憶回路５１と、透過型両面発光パネル１５側からの光を透過させる透光パターンを記憶した透光パターン記憶回路５２と、遮光パターンおよび透光パターンをサブパネル１６、１７に交互に送出するためのスイッチングマトリックス回路５３と、垂直同期信号ＶＳＹＮＣを逓倍して倍速垂直同期信号ＤＶＳＹＮＣを生成する逓倍回路５４を有している。
【００２９】
次に、画像表示装置１０に画像、例えば画像記憶装置２６に記憶されているアルファベット文字列ａ、ｂ、ｃ、ｄ、・・・を表示する場合について、図４のタイミングチャートを参照して詳しく説明する。
【００３０】
図４に示すように、垂直同期信号ＶＳＹＮＣ、例えば６０Ｈｚに同期して、信号処理回路２８から入力選択回路４５を介して１フレーム分の画像データをフレームメモリ４１とフレームメモリ４２に交互に記憶する。
【００３１】
例えば、Ｔ０〜Ｔ２で１フレーム分の画像データ“ｂ”６１をフレームメモリ４１に記憶し、Ｔ２〜Ｔ４で次の１フレーム分の画像データ“ｃ”６２をフレームメモリ４２に記憶する。
【００３２】
Ｔ２〜Ｔ４で画像データ“ｃ”６２をフレームメモリ４２に記憶している間は、倍速垂直同期信号ＤＶＳＹＮＣ、例えば１２０Ｈｚに同期して、透過型両面発光パネル１５に画像を表示し、サブパネル１６、１７にパターンを表示する。
【００３３】
即ち、Ｔ２で遮光パターン記憶回路５１に記憶された遮光パターンと透光パターン記憶回路５２に記憶された透光パターンを、スイッチングスマトリクス回路５３を介して画像表示部１１に送出しする。これにより、サブパネル１６に透光パターン６３が表示され、サブパネル１７に遮光パターン６４が表示される。
【００３４】
透光パターン６３は液晶パネル全面を背景光が透過するように駆動し、遮光パターン６４は液晶パネル全面を背景光が透過しないように駆動することにより実現できる。
【００３５】
同時に、Ｔ２でフレームメモリ４１に既に記憶されている画像データ“ｂ”６１を正順に読み出し、出力選択回路４６を介して画像表示部１１に送出する。これにより、透過型両面発光パネル１５に画像データ“ｂ”６５が表示される。
【００３６】
次に、Ｔ３でスイッチングスマトリクス回路５３を切替えて、遮光パターン記憶回路５１に記憶された遮光パターンと透光パターン記憶回路５２に記憶された透光パターンを画像表示部１１に送出する。これにより、サブパネル１６に遮光パターン６６が表示され、サブパネル１７に透光パターン６７が表示される。
【００３７】
同時に、Ｔ３でフレームメモリ４１に記憶されている画像データ“ｂ”６１を逆順に読み出し、出力選択回路４６を介して画像表示部１１に送出する。これにより、パネル１５に画像“ｂ”の鏡像６８を表示する。
【００３８】
その結果、Ｔ２〜Ｔ３でサブパネル１６側から画像“ｂ”６９が視認され、Ｔ３〜Ｔ４でサブパネル１７側から画像“ｂ”７０が視認される。
【００３９】
一方、Ｔ２〜Ｔ３でサブパネル１７に遮光パターン６４が表示されている間は、目の残像効果によりＴ１〜Ｔ２で視認していた画像“ａ”７１の残像７２が視認される。同様に、Ｔ３〜Ｔ４でサブパネル１６に遮光パターン６６が表示されている間は、目の残像効果によりＴ２〜Ｔ３で視認していた画像“ｂ”６９の残像７３が視認される。
【００４０】
従って、サブパネル１６側からはＴ２〜Ｔ４で画像“ｂ”を観賞することができ、サブパネル１７側からはＴ３〜Ｔ５で画像“ｂ”を観賞することが可能である。
【００４１】
画像表示装置１０を搭載したカメラ付き携帯電話端末により、撮影時に撮影者と非撮影者がともに画像の正像で構図を確認することが可能である。
【００４２】
更に、画像表示装置１０を搭載したノート式パソコンにより、セールスマンが客と対面して商品を説明する場合に客とセールスマンがともに正像で商品を確認しながら対話することができる。
【００４３】
以上説明したように、実施例１に係わる画像表示装置１０では、サブパネル１６、１７に遮光パターンと透光パターンを交互に表示するのに同期して透過型両面発光パネル１５に画像の正像と鏡像を交互に表示しているので、透過型両面発光パネル１５の両側から複数の人が画像を正像で観賞することができる。
【００４４】
従って、十分な画像表示品質を有する透過型両面発光パネルを用いた画像表示装置を搭載した電子機器を提供することができる。
【実施例２】
【００４５】
図５は、本発明の実施例２に係わる画像表示装置の構成を示すブロック図、図６は図５の画像表示装置を搭載した電子機器の使用形態を示す説明図である。本実施例において上記実施例１と同一の構成部分には同一符号を付してその説明を省略し、異なる部分についてのみ説明する。
【００４６】
本実施例が実施例１と異なる点は、透過型両面発光パネルの画像と透過型両面発光パネルの背景像とを重ねた透視像を観賞できるようにしたことにある。
【００４７】
即ち、図５に示すように、画像表示装置８０は画像表示制御部１４のモード選択スイッチ２１を操作して表示モード選択回路２０を動作させることにより、透過型両面発光パネル１５に画像データＩＭＧＳＩＧが入力され、サブパネル１６に画像データＩＭＧＳＩＧを画像変換回路８１によりに２値化画像に変換した画像データが入力される。
【００４８】
また、サブパネル１７には、透光パターン記憶回路５２に記憶されている透光パターンが入力される。
【００４９】
これにより、透過型両面発光パネル１５には画像データＩＭＧＳＩＧが表示され、サブパネル１６には遮光パターンとして画像データＩＭＧＳＩＧと同じ形の画像が、透過型両面発光パネル１５に画像データＩＭＧＳＩＧが表示される位置と同じ位置に表示することができる。
【００５０】
その結果、サブパネル１７側から、透過型両面発光パネル１５に表示された画像に透過型両面発光パネル１５の背景像が透けて見えない透視像を観賞することが可能である。
【００５１】
図６に示すように、例えば衣服の試着イメージを知りたい場合、画像記憶装置２６に記憶されている衣服の画像８５を透過型両面発光パネル１５に表示すると、サブパネル１６にも衣服の画像８５と同じ形の遮光パターン８６が表示される。
【００５２】
従って、サブパネル１７側から透過型両面発光パネル１５の背景像８７として背後に立っている人物を眺めると、人物が衣服を試着した透視像８８を見ることができる。
【００５３】
また、家具の画像を表示して室内の背景像と重ねて見ることにより、家具のレイアウトイメージを知ることができる。更に、建物の画像を表示して街中の背景像と重ねて眺めれば、建築イメージを知ることができる。
【００５４】
以上説明したように、実施例２に係わる画像表示装置８０では、サブパネル１６に透過型両面発光パネル１５に表示された画像と同じ形の遮光パターンを画像が表示された位置と同じ位置に表示しているので、透過型両面発光パネル１５の画像に背景像が透けて見えない透視像を観賞することができる。
【００５５】
従って、十分な画像表示品質を有する透過型両面発光パネルを用いた画像表示装置を搭載した電子機器を提供することができる。
【００５６】
ここでは、画像表示装置を搭載した電子機器が携帯電話端末およびノート式パソコンの場合について説明したが、本発明はこれに限定されるものではなく、ＰＤＡ（Personal Data Assistant：個人用携帯情報端末）や、放送受信機に搭載しても構わない。
【００５７】
また、記憶装置２６は、例えば半導体メモリ、磁気ディスク、磁気テープ、光ディスクなどのいずれでも構わないが、電子機器１４の小型化には半導体メモリが好ましい。
【図面の簡単な説明】
【００５８】
【図１】本発明の実施例１に係わる画像表示装置の構成を示すブロック図。
【図２】本発明の実施例１に係わる発光パネル制御回路の構成を示すブロック図。
【図３】本発明の実施例１に係わるサブパネル制御回路の構成を示すブロック図。
【図４】本発明の実施例１に係わる画像表示装置の動作を示すタイミングチャート。
【図５】本発明の実施例２に係わる画像表示装置の構成を示すブロック図。
【図６】本発明の実施例２に係わる画像表示装置を搭載した電子機器の使用形態を示す説明図。
【図７】従来の画像表示装置を搭載した電子機器の使用形態を示す説明図。
【図８】従来の画像表示装置を搭載した電子機器の他の使用形態を示す説明図。
【符号の説明】
【００５９】
１０、８０  画像表示装置
１１  画像表示部
１２  画像表示制御部
１３  画像データ供給部
１４  電子機器
１５  発光パネル
１６、１７  サブパネル
１８  発光パネル制御回路
１９  サブパネル制御回路
２０  表示モード選択回路
２１  モード選択スイッチ
２２  アンテナ
２３  チューナ
２４  復調回路
２５  入力端子
２６  記憶装置
２７  画像選択回路
２８  信号処理回路
４１、４２  フレームメモリ
４３、４４  メモリコントローラ
４５  入力選択回路
４６  出力選択回路
４７、５４  逓倍回路
５１  遮光パターン記憶回路
５２  透光パターン記憶回路
５３  スイッチングマトリックス回路
６１、６２  画像データ
６３、６７  透光パターン
６４、６６、８６  遮光パターン
６５、６８、８５  表示画像
６９、７０、７１  視認像
７２、７３  残像
８１  画像変換回路
８７  背景像
８８  透視像
【図１】
2005208125.tif 000003
【図２】
2005208125.tif 000004
【図３】
2005208125.tif 000005
【図４】
2005208125.tif 000006
【図５】
2005208125.tif 000007
【図６】
2005208125.tif 000008
【図７】
2005208125.tif 000009
【図８】
2005208125.tif 000010